(57)【特許請求の範囲】
【請求項１】
ベース部と、前記ベース部に固定され、かつ、被測定物の両端近傍を支持する支持部と、前記ベース部に保持され、かつ、前記被測定物の蛇行量を測定する測定部とから構成され、
前記測定部は、基準位置から前記被測定物を検出するまでの間を移動することができる非接触検査部と、前記非接触検査部の移動量を表示する表示部とを有することを特徴とする非接触式蛇行量測定器。
【請求項２】
前記非接触検査部をガイドするガイド枠は、前記被測定物の蛇行量の方向に直交する方向に位置を変えることができるように、かつ、任意の位置で前記ベース部に固定されることができるように構成されることを特徴とする請求項１記載の非接触式蛇行量測定器。
【発明の詳細な説明】
【技術分野】
【０００１】
本発明は、コネクタ用コンタクト等の材料（被測定物）の非接触式蛇行量測定器に関する。ここにいう蛇行とは、材料が略弓形等に湾曲することをいう。
【背景技術】
【０００２】
従来の蛇行量の測定及び測定器について図４〜図６を参照して説明する。
【０００３】
まず、コネクタ用コンタクトの蛇行の方向性について図６を参照して説明する。多数のコンタクト１１Ａとキャリア１１Ｂとは、一体になって金属板からプレス加工される。この際、キャリア１１Ｂが、図６（ａ）の方向に湾曲していれば、プラス方向に、図６（ｂ）の方向に湾曲していれば、マイナス方向に、それぞれ湾曲していると便宜上いうこととする。
【０００４】
次に、蛇行量測定器がない場合のコネクタ用コンタクトの蛇行量の測定について、図４を参照して説明する。第１スケール１２を水平方向に配置し、第１スケール１２に対して垂直方向に第２スケール１３を配置する。多数のコンタクト１１Ａと一体になっているキャリア１１Ｂを第１スケール１２上に当接させ、キャリア１１Ｂの一端から他端までの長さＬ１と最大蛇行量Ｌ２とを測定する。
【０００５】
続いて、簡易蛇行量測定器について図５を参照して説明する。スケール１４には、その長さ方向の中心線１４Ａの両端付近にピン１５が間隔Ｌで設けられ、一辺に目盛１４Ｂが刻まれている。また、一対のピン１５の間の中央位置から目盛１４Ｂに対して直角に目盛１４Ｃが刻まれている。被測定物を一対のピン１５上に当接させると、被測定物がプラス方向又はマイナス方向のいずれに湾曲していても、被測定物の長さＬ当りの最大蛇行量を目盛１４Ｃの基準位置（０点）からの距離で測定することができる。
【発明の開示】
【発明が解決しようとする課題】
【０００６】
前述した蛇行量測定器がない場合のコネクタ用コンタクトの蛇行量の測定技術には、次の欠点がある。すなわち、第１スケール１２の厚さ（約２ｍｍ）とキャリア１１Ｂの厚さ（０．２〜０．６ｍｍ）との間に段差が生じるため、測定値が読みづらい。また、第２スケール１３を第１スケール１２に対して垂直に配置して測定するため、測定誤差が生じ易い。更に、キャリア１１Ｂがプラス方向に湾曲しているときは、測定可能であるが、マイナス方向に湾曲しているときは、キャリア１１Ｂの中央部が第１スケール１２と当接するため、測定不可能である。
【０００７】
前述した簡易蛇行量測定器には、次の欠点がある。すなわち、測定者（個人誤差は０．５ｍｍ程度である。）の肉眼により目盛１４Ｃを読むため、昨今の狭ピッチ及び多芯のコネクタの分野では、高精度の測定を行うことができない。この結果、規格に合格しないコネクタが製造され、生産上のトラブルが起きたり、不良品を廃棄せざるを得ない損失が生じたりする。
【０００８】
そこで、本発明は、前記従来の蛇行量の測定技術及び測定器の欠点を改良し、高精度の測定を短時間で簡便に行うことができ、作業者の個人誤差がなく、しかも、被測定物の湾曲方向を問わずに測定することができる蛇行量測定器を提供しようとするものである。
【課題を解決するための手段】
【０００９】
本発明は、前記課題を解決するため、次の手段を採用する。
【００１０】
１．ベース部と、前記ベース部に固定され、かつ、被測定物の両端近傍を支持する支持部と、前記ベース部に保持され、かつ、前記被測定物の蛇行量を測定する測定部とから構成され、前記測定部は、基準位置から前記被測定物を検出するまでの間を移動することができる非接触検査部と、前記非接触検査部の移動量を表示する表示部とを有する非接触式蛇行量測定器。
【００１１】
２．前記非接触検査部をガイドするガイド枠は、前記被測定物の蛇行量の方向に直交する方向に位置を変えることができるように、かつ、任意の位置で前記ベース部に固定されることができるように構成される前記１記載の非接触式蛇行量測定器。
【発明の効果】
【００１２】
以上の説明から明らかなように、本発明によれば、次の効果を奏する。
【００１３】
１．被測定物の蛇行量を、高精度（例えば、１０μｍ台）で短時間に簡便に測定することができる。
【００１４】
２．測定者の個人誤差が生じないため、正確に測定することができる。
【００１５】
３．被測定物がプラス方向又はマイナス方向のいずれに湾曲していても、測定することができるので、便利である。
【発明を実施するための最良の形態】
【００１６】
本発明の一実施例の非接触式蛇行量測定器について説明するが、これに先立って本発明を理解するために必要な参考技術となる接触式蛇行量測定器について図１と図２を参照して説明する。
【００１７】
接触式蛇行量測定器における略長方形状のベース部１の一辺寄りの中央には、スプラインマイクロメータ（操作部）２と接触検査部３とが配設され、また、ベース部１の対向する他の二辺の近傍には、一対の支持ピン（支持部）４が立設され、更に、ベース部１の一隅近傍には、接触検査部３と電気的に接続するタッチリミットセンサ（検出部）５が配設されている。スプラインマイクロメータ２の「０」基準は、一対の支持ピン４を結ぶ直線である。図１（ａ）に示されるように、二点鎖線で示される被測定物６の下辺は、一対の支持ピン４上に当接する。
【００１８】
接触検査部３は、被測定物６に接触する接点部３Ａと、接点部３Ａを保持し、かつ、ベース部１に対して摺動することができる摺動部３Ｂと、摺動部３Ｂから突出し、かつ、スプラインマイクロメータ２のスピンドル２Ａに固定される連結部３Ｃとから構成される。接点部３Ａは、耐食性と接触信頼性のために金めっきを施される。
【００１９】
被測定物６がプラス方向又はマイナス方向のいずれに湾曲しているかに応じて、図２（ａ）において、スプラインマイクロメータ２のつまみ２Ｂを矢印で示されるように左方向又は右方向に回転すると、スピンドル２Ａは矢印方向に前進移動又は後退移動を行う。接触検査部３の接点部３Ａが被測定物６（一例としてコネクタ用コンタクトのキャリア）に接触すると、タッチリミットセンサ５が検出する。タッチリミットセンサ５では、ブザー５Ａが奏鳴し、また、ランプ５Ｂが点灯する。この時点で、スプラインマイクロメータ２のスピンドル２Ａの「０」基準からの移動量を、スプラインマイクロメータ２の目盛で読み取って換算式により換算して被測定物６の蛇行量を算出する。
【００２０】
被測定物６の最大蛇行量Ｌ２は、図２（ａ）における一対の支持ピン４の中間位置に存在するとは限らないから、スプラインマイクロメータ２と接触検査部３を被測定物６の長手方向（蛇行量の方向に直交する方向）に位置を変えることができるように、かつ、任意の位置でベース部１に固定することができるように構成する。
【００２１】
なお、ベース部１の底面の長手方向の両辺近傍には、合計４個の台脚１Ａが設けられている。
【実施例１】
【００２２】
次に、本発明の実施例１の非接触式蛇行量測定器について図３を参照して説明する。ただし、接触式蛇行量測定器と同様な点の説明を省略し、相違する点の説明のみを行う。
【００２３】
ベース部１の中央にコ字形状のガイド枠１Ｂを固定する。ガイド枠１Ｂには、レーザセンサ８を図３（ｂ）の矢印方向に摺動することができるように取付ける。レーザセンサ８は、第１実施の形態例の接触部３Ａに代替する。レーザセンサ８には、発射した光が被測定物に当たって反射した光を受光する反射式センサ、又は、発射した光を被測定物の背後で受光する透過式センサのいずれでも採用することができる。
【００２４】
被測定物６がプラス方向又はマイナス方向のいずれに湾曲しているかに応じて、図３（ｂ）において、レーザセンサ８を矢印方向に上昇移動又は下降移動を行わせる。そして、一定の支持ピン４を結ぶ直線すなわちレーザセンサ８の「０」基準から被測定物６の下辺までの移動量Ｌ２を、表示部９の表示値（この例では、−０．０１８ｍｍ）で読取って、被測定物６の蛇行量を算出する。レーザセンサ８は、表示部９にケーブル１０により接続される。
【００２５】
被測定物６の最大蛇行量Ｌ２は、図３（ａ）における一対の支持ピン４の中間位置に存在するとは限らないので、ガイド枠１Ｂを被測定物６の長手方向（蛇行量の方向に直交する方向）に位置を変えることができるように、かつ、任意の位置でベース部１に固定可能に設計変更することができる。
【図面の簡単な説明】
【００２６】
【図１】本発明を理解するために必要な参考技術となる接触式蛇行量測定器の諸図であり、（ａ）は平面図、（ｂ）は断面図、（ｃ）は正面図を、それぞれ示す。
【図２】同測定器の要部の模式図であり、（ａ）は平面図、（ｂ）は側面図を、それぞれ示す。
【図３】本発明の実施例１の非接触式蛇行量測定器の要部の模式図であり、（ａ）は平面図、（ｂ）は側面図を、それぞれ示す。
【図４】蛇行量測定器がない場合のコネクタ用コンタクトの蛇行量の測定技術の正面図である。
【図５】従来の簡易蛇行量測定器の正面図である。
【図６】コネクタ用コンタクトの蛇行の方向性を説明するための図であり、（ａ）はプラス方向に湾曲した状態、（ｂ）はマイナス方向に湾曲した状態を、それぞれ示す。
【符号の説明】
【００２７】
１    ベース部
１Ａ    台脚
１Ｂ    ガイド枠
２    スプラインマイクロメータ（操作部）
２Ａ    スピンドル
２Ｂ    つまみ
３    接触検査部
３Ａ    接点部
３Ｂ    摺動部
３Ｃ    連結部
４    支持ピン（支持部）
５    タッチリミットセンサ（検出部）
５Ａ    ブザー
５Ｂ    ランプ
６    被測定物
８    レーザセンサ
９    表示部
１０    ケーブル
１１Ａ    コンタクト
１１Ｂ    キャリア
【図１】
0003700136.tif 000002
【図２】
0003700136.tif 000003
【図３】
0003700136.tif 000004
【図４】
0003700136.tif 000005
【図５】
0003700136.tif 000006
【図６】
0003700136.tif 000007